(57)【要約】【課題】中皿のポンプへの付着を回避することができ、かつ、少ないプライミングで内容物を確実に排出できるポンプ付き容器を提案する。【解決手段】上端開口１ａを有し、底板１ｂの縁部を取り囲んで起立する筒体１ｃとの協働にてその内側に内容物の充填空間を形成する容器本体１と、この容器本体１の上端開口１ａにおいて固定保持されるポンプ３と、このポンプ３の上部に位置する天面蓋４ａを有し、該天面蓋４ａの押し込み、復帰動作の繰り返しにてポンプ３を作動させて充填空間Ｍ内の内容物を該天面蓋４ａの開孔４ａ１より排出する押圧ヘッド４と、を備えたポンプ付き容器において、容器本体１に、ポンプ３の吸入口ｈを充填空間Ｍに向けて臨ませる開口６ｄを有し、筒体１ｃの突端部に連係して固定保持される中蓋６を設ける。【選択図】図１
2011116423.tif 000002
【特許請求の範囲】
【請求項１】
上端開口を有し、底板の縁部を取り囲んで起立する筒体との協働にてその内側に内容物の充填空間を形成する容器本体と、この容器本体の上端開口において固定保持されるポンプと、このポンプの上部に位置する天面蓋を有し、該天面蓋の押し込み、復帰動作の繰り返しにてポンプを作動させ、中皿の昇降移動により充填空間内の内容物を該天面蓋の開孔から排出する押圧ヘッドとを備えたポンプ付き容器であって、
前記容器本体に、前記ポンプの吸入口を充填空間に向けて臨ませる開口を有し、筒体の突端部に連係して固定保持する中蓋を設けたことを特徴とするポンプ付き容器。
【請求項２】
前記中蓋は、中皿の昇降移動を阻止する隔壁と、この隔壁の縁部に一体的に連結し、容器本体の筒体の内側に係合する環状周壁からなる、請求項１記載のポンプ付き容器。
【請求項３】
前記環状周壁の内側壁に、ポンプのシリンダ外側壁に係合させて該ポンプを固定保持するねじ部を設けた、請求項２記載のポンプ付き容器。
【請求項４】
前記ポンプの吸引口に、中蓋の開口を通り抜けて内容物の充填空間に向けて伸延する短尺筒体を設け、前記中皿に、該短尺筒体を挿入して中皿と中蓋との当接を可能とする凹部を設けた、請求項１〜３の何れかに記載のポンプ付き容器。
【請求項５】
前記押圧ヘッドの開孔に、該押圧ヘッドの押し込み時にのみ開放する弁体を設けた、請求項１〜４の何れかに記載のポンプ付き容器。
【発明の詳細な説明】
【技術分野】
【０００１】
本発明は、内容物の充填容量が減るにしたがい中皿が上昇する、ポンプ付き容器に関するものであり、とくに、容器を付け替える際の、ポンプの取り外しに伴う中皿の脱落等を回避するとともに、ポンプのプライミング回数の軽減を図りつつも内容物の安定した排出を実現しようとするものである。
【背景技術】
【０００２】
化粧料や整髪料、シャンプーあるいはリンス等を入れる容器としては、ハンディータイプや据え置きタイプに関わらずポンプを装着したものが多数上市されており、これにより容器内の内容物を衛生的、かつ効率的に注出することができるようになっている。
【０００３】
従来のポンプ付き容器としては、ポンプの吸引口を容器の口部の直下に位置せしめ、内容物が取り出されるにしたがい袋状の収納室を縮小変形させるタイプの容器や、内容物の充填空間内に中皿を配置して内容物の充填量が減少するにしたがい該中皿をポンプの吸引口へ向けてスライドさせる容器等が適用されている（例えば、特許文献１参照）ところ、とくに、中皿をポンプの吸引口へ向けてスライドさせる容器にあっては、容器の付け替えを行うべく、ポンプを容器本体から取り外す場合に、該中皿がポンプのシリンダ底壁部に付着したまま抜き取られることがあり、これにより内容物が垂れて手を汚してしまったり、中皿が脱落して周辺を内容物によって汚してしまうことがあった。
【０００４】
また、この種の容器は、内容物の充填量が充分でなく、充填空間に空気層が形成されている場合に、内容物の排出を行うべく、ポンプのプライミングを行っても空気の吸い込みだけが行われるため、ポンプの作動不良を引き起こしがちであり、より多くのプライミングを行わなければ内容物が排出できない（内容物の詰め替え直後におけるプライミング回数の増大）ことがあって、未だ改善の余地が残されていた。
【先行技術文献】
【特許文献】
【０００５】
【特許文献１】実公平７−５４１２５号公報
【発明の概要】
【発明が解決しようとする課題】
【０００６】
本発明の課題は、中皿のポンプへの付着を防止するとともに、充填空間内に空気層が形成されている場合であっても、僅かなプライミングでもって内容物を排出できる新規なポンプ付き容器を提案するところにある。
【課題を解決するための手段】
【０００７】
本発明は、上端開口を有し、底板の縁部を取り囲んで起立する筒体との協働にてその内側に内容物の充填空間を形成する容器本体と、この容器本体の上端開口において固定保持されるポンプと、このポンプの上部に位置する天面蓋を有し、該天面蓋の押し込み、復帰動作の繰り返しにてポンプを作動させ、中皿の昇降移動により充填空間内の内容物を該天面蓋の開孔から排出する押圧ヘッドとを備えたポンプ付き容器であって、
前記容器本体に、前記ポンプの吸入口を充填空間に向けて臨ませる開口を有し、筒体の突端部に連係して固定保持される中蓋を設けたことを特徴とするポンプ付き容器である。
【０００８】
前記中蓋は、中皿の昇降移動を阻止する隔壁板と、この隔壁板の縁部に一体的に連結し、容器本体の筒体の内側に係合する環状周壁からなるものが本発明に有利に適合する。
【０００９】
前記環状周壁の内側壁には、ポンプのシリンダ外側壁に係合させて該ポンプを固定保持するねじ部を設けることができる。また、このねじ部に替えて凸部を凹部に係合させるアンダーカットの如き係合手段を設けてもよい。
【００１０】
ポンプの吸引口には、中蓋の開口を通り抜けて内容物の充填空間に伸延する短尺筒体を設け、中皿に、該短尺筒体を挿入して中皿の上面と、中蓋の下面とを相互に当接させてその相互間に隙間ができるのを阻止する凹部を設けるのが望ましい。
【発明の効果】
【００１１】
ポンプと中皿との間に、容器本体に固定される中蓋を設けたため、該ポンプと中皿とが直接接触することがなくなるため、ポンプの取り外しに際して中皿がポンプに付着した状態で抜き取られることがなくなる。
【００１２】
ポンプの吸引口に、短尺筒体を設けることにより、充填空間内に内容物が満たされておらず隙間が形成されている状態であっても、該短尺筒体が内容物に直接届くため、ポンプがその隙間に存在する空気を吸引することがなく、僅かなプライミングでもって内容物の排出が可能となる。
【図面の簡単な説明】
【００１３】
【図１】本発明にしたがうポンプ付き容器の実施の形態を断面で示した図である。
【図２】図１に示したポンプ付き容器につき、ポンプを容器本体から取り外した状態を示した図である。
【図３】従来のポンプ付き容器の構成例を示した図である。
【図４】本発明にしたがうポンプ付き容器の他の実施の形態を示した図である。
【図５】本発明にしたがうポンプ付き容器のさらに他の実施の形態を示した図（中心線を境にして左側半分は押圧ヘッドを押し込んだ状態で示してあり、右側半分は押圧ヘッドを押し込む前の状態を示してある。）である。
【発明を実施するための形態】
【００１４】
以下、図面を参照して本発明をより具体的に説明する。
図１は、本発明にしたがうポンプ付き容器の側面（断面表示）を示した図である。図における１は、容器本体である。この容器本体１は、上端開口１ａを有し、底板１ｂの縁部を取り囲んで起立する筒体１ｃ（底板１ｂと一体成形されている。）との協働にてその内側に内容物の充填空間Ｍを形成している。
【００１５】
また、２は、容器本体１の底板１ｂに設けられた外気導入孔、３は、容器本体１内の内容物を排出するポンプである。
【００１６】
ポンプ３は、底部に内容物の吸入口ｈを有する筒状のシリンダ３ａと、このシリンダ３ａ内にスライド可能に配置されるピストン３ｂと、このピストン３ｂの貫通孔に挿通されその他端（上端）を後述する押圧ヘッドの筒体に連結する中空ステム３ｃと、シリンダ３ａの上部開口端に固定保持され、ピストン３ｂのシリンダ３ａからの抜け出しを防止する抜け止めカバー３ｄと、シリンダ３ａ内で吸入口ｈに配置され、内容物の吸引時にのみ開放する弁体（三点弁等）３ｅと、シリンダ３ａの外側壁に一体連結し、その上面においてポンプ３の上記各構成部材を設置、収納する凹形の断面形状をなすケーシング３ｆから構成されている。
【００１７】
抜け止めカバー３ｄの外縁部には、シリンダ３ａを取り囲むように設けられた上向き開放、下向き開放になる環状溝３ｄ１、３ｄ２と、この環状溝３ｄ１、３ｄ２を取り囲むように設けられ、後述するスプリングの設置部位（座面）を形成する上向き開放型の環状凹所３ｄ３と、その縁部で起立する筒体３ｄ４と、この筒体３ｄ４の上端部に一体連結しその先端部を斜め下向きに指向させた爪部３ｄ５（環状のものでもよいし、複数設けられたものでもよい。）が一体的に形成されている。
【００１８】
また、ケーシング３ｆには、抜け止めカバー３ｄの環状溝３ｄ２に嵌合して該抜け止めカバー３ｄとの一体化（一体連結）を図る筒体３ｆ１と、該抜け止めカバー３ｄの環状凹所３ｄ３の下面に当接する底壁３ｆ２と、この底壁３ｆ２の縁部から立ち上がりその外側壁にねじ部ｎを有する筒体３ｆ３と、この筒体３ｆ３の上部外側壁において一体連結し容器本体１の上端開口１ａに当接するフランジ部３ｆ４が形成されている。
【００１９】
４は、ポンプ３を作動させる押圧ヘッドである。この押圧ヘッド４は、ケーシング３ｆの筒体３ｆ３の内側に入り込む径を有するディスク状の天面蓋（縁部が波を打った形状のものを表示している。）４ａと、この天面蓋４ａの下面に一体的に設けられ、ポンプ３の中空ステム３ｃの上端においてアンダーカットの如き係合手段を介して連結する筒体４ｂと、天面蓋４ａ及び環状凹所３ｄ３との相互間に配され、該天面壁４ａを弾性支持するスプリング４ｃと、天面蓋４ａの下面において垂下され、抜け止め部材３ｄの環状溝部３ｄ１にスライド可能に入り込んでポンプ３との位置決めを行うガイド（リブ状のものでもよいし、筒状のものでもよい。）４ｄと、このガイド４ｄを取り囲むように天面蓋４ａの下面から垂下され、抜け止めカバー３ｄの筒体３ｄ４の内壁に沿って上下に摺動可能な筒体４ｅと、天面蓋４ａの外縁部に一体連結しその部位から垂下される周壁４ｆから構成されている。
【００２０】
周壁４ｆの内側壁には、環状あるいは複数個の突起４ｆ１が設けられており、この突起４ｆ１と、抜け止めカバー３ｄの爪部３ｄ５が係合して押圧ヘッド４が抜け止めされている（スプリング４ｃは押圧ヘッド４が抜け止めカバー３ｄの爪部３ｄ４から外れない程度の付勢力に設定されている。）。
【００２１】
押圧ヘッド４の天面蓋４ａの中央には、開孔４ａ１が形成されており、この開孔４ａ１には押圧ヘッド４が押し込まれていない定常姿勢では該開孔４ａ１を塞いでいるが、該押圧ヘッド４が押し込まれた状態でもってのみ該開孔４ａ１を開放する弁体４ａ２が設けられている。この弁体４ａ２は、開孔４ａ１の通路内で抜け止めされる本体部分４ａ２１と、この本体部分４ａ２１に弾性変形可能に連結する弁部４ａ２２からなっており、少なくとも弁部４ａ２２については、ゴム等の弾性部材やエラストマーの如き軟質材にて形成されている。
【００２２】
ポンプ３のピストン３ｂは、中空ステム３ｃの先端部に設けられたフランジ部ｔと、筒体４ｂの先端との相互間に形成される空間内に配置されており、この空間内で、ピストン３ｂは極わずかに、単独でスライドできるようになっており、押圧ヘッド４による押し込み時（内容物の排出時）には、筒体４ｂの先端がピストン３ｂの後端（上端）に当接して該ピストン３ｂがシリンダ３ａの吸入口ｈに向けてスライドする一方、押圧ヘッド４が初期状態に復元する際（内容物の吸引時）には、中空ステム３ｃの先端部に設けられた環状体ｔがピストン３ｂの先端（下端）に当接して該ピストン３ｂがシリンダ３ａの上方へ向けてスライドすることになる。
【００２３】
５は、容器本体１の充填空間Ｍに配され、内容物の充填容量の減少にしたがって上端開口１ａに向けてスライドする中皿である。この中皿５は、その外縁部に容器本体１の筒体１ｃの内周壁に当接する摺動部材５ａが配置されている。
【００２４】
６は、容器本体１の上端開口１ａにおいて筒体１ｃに係合（ねじ止めでもよいしアンダーカットによる係合でもよい。）して固定保持される中蓋である。この中蓋６は、筒体１cとは縦リブとこの縦リブが嵌り込む縦溝とによって回動不能につながっており、容器本体１の上端開口１ａを覆い隠す大表面積を有する底壁（隔壁）６ａと、この底壁６ａの縁部において起立（一体連結）する環状周壁６ｂと、この環状周壁６ｂの突端部に設けられ、筒体１ｃの突端部に当接するフランジ部６ｃと、底壁６ａの中央部において形成され、ポンプ３の吸入口ｈのみを充填空間Ｍに向けて臨ませる開口６ｄが設けられている。
【００２５】
中蓋６の底壁６ａは、中皿５と、ポンプ３のケーシング３ｆとの接触を阻止する隔壁としての機能を有するものであって、該環状周壁６ｂの内壁には、ケーシング３ｆの筒体３ｆ３に形成されたねじ部ｎに係合するねじ部ｎ１が設けられ、その外壁が容器本体１の筒体１ｃの内側に係合（図示の例ではアンダーカット係合の場合について示したが、ねじによる係合でもよい。）しており、該底壁６ａの環状突起６ａ１とケーシング３ｆの環状凹部３ｆ５との相互間には液密状態を維持するためのパッキンＰが配置されている。
【００２６】
さらに、７は、ケーシング３ｆの筒体３ｆ３の上端部に着脱自在にアンダーカット係合（ねじによる係合でもよい。）して押圧ヘッド４を覆い隠すカバーキャップである。
【００２７】
上記の構成になるポンプ付きの容器にあっては、押圧ヘッド４の天面蓋４ａに押し込み力を付与すると、天面蓋４ａは、スプリング４ｃの付勢力に抗して押し下げられ、ピストン３ｂは、筒体４ｂに押圧されてシリンダ３ａの底部へ向けてスライドする。
【００２８】
ピストン３ｂが、シリンダ３ａの最下端（下死点）にスライドしたのちにおいて、押圧ヘッド４に加えた押し込み力を取り除くと、スプリング４ｃの付勢力により押圧ヘッド４は定常姿勢へと復帰し、この時、ピストン３ｂは中空ステム３ｃとともにシリンダ３ａの上部へ向けてスライドする。
【００２９】
ピストン３ｂがシリンダ３ａの上部へ向かうスライドにおいては、シリンダ３ａ内が負圧になることから、弁体３ｅが開放され、吸引口ｈを通して容器内の内容物がシリンダ３ａ内へ吸引される。
【００３０】
押圧ヘッド４が定常姿勢へ復帰（上死点）したのち、再度、天面蓋４ａに押し込み力を付与すると、シリンダ３ａ内は加圧され、その中に存在する内容物は、中空ステム３ｃの開孔３ｃ１、その内部通路３ｃ２を経て、天面蓋４ａの開孔４ａ１へ向かうとともに、その際の圧力により弁体４ａ２の弁部４ａ２２が弾性変形して該開孔４ａ１を開放して内容物を排出する。このような動作を繰り返すこと、すなわち、押圧ヘッド４の天面蓋４ａの押し込み、復帰動作を繰り返すことにより内容物の連続的な排出が可能となり、これに併せて中皿５が容器本体１の上端開口１ａに向けて上昇する。
【００３１】
本発明にしたがうポンプ付きの容器においては、充填空間Ｍ内に充填された内容物が全て排出され、中皿５が最上部に移動した後においても、図２に示すように、該中皿５がポンプ３のケーシング３ｆに接触することはなく、容器の付け替えを行うべく、ポンプ３を取り外しても中皿５が付着してポンプ３とともに抜け出すのが回避され、その結果、液だれを起したり、中皿の脱落によって周囲を汚すことがない。図３に従来の容器のポンプの取り外し状況を示す。
【００３２】
ポンプ付き容器は、スプリング４ｃを除いては基本的に合成樹脂で構成することができる。
【００３３】
図４は、本発明にしたがうポンプ付き容器の他の実施の形態を示した図である。図における８は、ポンプ３の吸引口ｈに一体連結し、中蓋６の開口６ｄを通り抜けて内容物の充填空間Ｍに向けて伸延する短尺筒体、９は、中皿５に設けられ、短尺筒体８を挿入して該中皿５が最上端まで移動した際に中蓋６との当接を可能とする凹部である。
【００３４】
容器の付け替えに際しては、内容物の充填量が少なく、空気層Ａが形成されている場合もあり、このような状況では、内容物を排出しようとしても空気のみが吸引されてポンプ３が作動不良を起したり、複数回にわたるプライミングが必要となり内容物の排出に際して手間がかかることになっていたが、上記の短尺筒体９を設けたものにあっては、ポンプ３の吸入口ｈと内容物とが直結することとなり、空気の吸い込みによる作動不良を起こすのを皆無とすることが可能であり、しかも、少ないプライミングで確実に内容物の排出することができる。
【００３５】
図４における１０は、容器本体１を構成する筒体１ｃの上端部においてアンダーカットによる係合、固定した例（ねじによる係合でもよい。）で示した環状体（ガイドリング）である。この環状体１０は、押圧ヘッド４を押し込む際に偏った力が付加された場合においても該押圧ヘッド４が傾くのを抑制して内容物の排出を可能とするガイドとして機能する。
【００３６】
環状体１０としては、筒体１ｃの上端面に沿って伸延する天板１０ａと、この天板１０ａの外縁及び内縁においてそれぞれ垂下され、その相互間に下向きに開放された溝部を形成する同心二重の壁部１０ｂ、１０ｃから構成される。
【００３７】
環状体１０の内側に位置する壁部１０ｃを、押圧ヘッド４の定常姿勢（押し込み前の姿勢をいう。）、押し込み姿勢にかかわりなく周壁４ｆに、極僅かな隙間をもって位置させておくか、あるいは摺動可能に当接するように位置させておくことで、押圧ヘッド４に偏った力が付加されてもそれ自体の傾きが抑制され、該壁部１０ａの壁面に沿ってスライドすることになり、内容物の確実な排出が可能となる。
【００３８】
上記の構成になるポンプ付き容器においては、押圧ヘッド４の周壁４ｆの下端部に、定常姿勢でもって壁部１０ｃの下端に連係する突起４ｆ２を設けておくことができ、押圧ヘッド４に偏った力が付加されても、該突起４ｆ２が壁部１０ｃの下端に接触することになるため、該押圧ヘッド４が傾くのが抑えられる。
【００３９】
壁部１０ｃによるガイドの機能をより有効に発揮させるため、押圧ヘッド４の周壁４ｆの長さＬ及び壁部１０ｃの長さＬ１の少なくとも一方の寸法をより長くするのが有利となる。
【００４０】
環状体１０の外側に位置する壁部１０ｂについては、容器本体１の上部を覆うカバーとして機能させることが可能であり、ポンプ３や中蓋６の合わせ面からの水や異物の侵入を確実に防止することができる。
【００４１】
図示の例では、壁部１０ｂ、１０ｃの相互間に形成された下向き開放型の溝部に、下端に爪部を備えた弾性垂下片１０ｄを設け、この弾性垂下片１０ｄを、ケーシング３ｆの筒体３ｆ３の上端部でアンダーカット係合させて固定した場合について示したが、環状体１０の固定方式についてはとくに限定されることはなく、ねじ係合によって両者を連結するようにしてもよい。
【００４２】
環状体１０を把持してそれを回動させることによりポンプ３を容器本体１から取り外すために、該環状体１０の内側の壁部１０ｃと、筒体３ｆ３との間には、図示はしないが、溝部と、この溝部に嵌り込むリブ等からなる周り止め手段を設けておくものとする。
【００４３】
図５は、本発明にしたがうポンプ付き容器のさらに他の実施の形態を示した図（中心線を境にして左側半分については押圧ヘッド４を押し込んだ状態を示し、右側半分については押圧ヘッド４を押し込む前の状態を示してある。）である。
【００４４】
この例は、環状体１０を、壁部１０ｃのみで構成（天板１０ａ、壁部１０ｂは省略。）して、これを、ケーシング３ｆの筒体３ｆ３にアンダーカットによる係合（ねじによる係合でもよい。）にて固定し、抜け止めカバー３ｄにおいて環状溝３ｄ１を形成する立ち上がり外周壁３ｄ６の上端を、ケーシング３ｆを形成する筒体３ｆ１の上端開口の環状突起３ｆ６に連係させて抜け止めするとともに、押圧ヘッド４に設けたガイド４ｄ、筒体４ｅを敢えて省略（ただし、プリング４ｃの上部外端に当接して該スプリング４ｃの位置決めを行う突起４ｇは設けてある。）した構造のものである。
【００４５】
上記の構成からなるポンプ付き容器にあっては、抜け止めカバー３ｄの環状溝３ｄ２、環状凹部３ｄ３、筒体３ｄ４、爪部３ｄ５、押圧ヘッド４の、ガイド４ｄと筒体４ｅ、環状体１０の天板１０ａ、壁部１０ｂが不要となるため、その分、成形材料の使用量が少なくてすみ、資源の有効活用を図ることが可能であり、また、金型の構造を簡素化できる利点もある。
【００４６】
なお、中皿５については図示した如く環状凹部１１を形成し、該中皿５が最上端まで移動した際に、該環状凹部１１に、短尺筒体８（この場合の短尺筒体８は、図４に示した短尺筒体８の径よりも大きいものが適用される。）を挿入させてもよく、この点についてはとくに限定されない。
【産業上の利用可能性】
【００４７】
中皿のポンプへの付着を回避することが可能であり、しかも、少ないプライミングでもって内容物を確実に排出できるポンプ付き容器が提供できる。
【符号の説明】
【００４８】
１        容器本体
１ａ      上端開口
１ｂ      底板
１ｃ      筒体
２        外気導入孔
３        ポンプ
３ａ      シリンダ
３ｂ      ピストン
３ｃ      中空ステム
３ｄ      抜け止めカバー
３ｅ      弁体
３ｆ      ケーシング
４        押圧ヘッド
４ａ      天面蓋
４ｂ      筒体
４ｃ      スプリング
４ｄ      ガイド
４ｅ      筒体
４ｆ      周壁
４ｇ      突起
５        中皿
５ａ      摺動部材
６        中蓋
６ａ      底壁（隔壁）
６ｂ      環状周壁
６ｃ      フランジ部
６ｄ      開口
７        カバーキャップ
８        短尺筒体
９        凹部
１０      環状体（ガイドリング）
１０ａ    壁部（内側壁部）
１０ｂ    壁部（外側壁部）
１０ｃ    垂下片
１１      環状凹部
Ｍ        充填空間
ｈ        吸引口
ｎ、ｎ１  ねじ部
Ｐ        パッキン
【図１】
2011116423.tif 000003
【図２】
2011116423.tif 000004
【図３】
2011116423.tif 000005
【図４】
2011116423.tif 000006
【図５】
2011116423.tif 000007